(57)【要約】【課題】電気接点部に水分が付着していても、コネクタ部を接続する過程で水分を除去し、その水分が再び電気接点部に付着する虞はなく、信頼性の向上を図ることができる医療装置を提供する。【解決手段】第１のコネクタ部としてのパワーユニット５１と、パワーユニット５１に接続される電気接点部５９を備えた第２のコネクタ部としての挿入部側本体５０と、パワーユニット５１と挿入部側本体５０とが接続された際に、前記電気接点部５９上の水分を所定の方向に除去する除去手段としての第１のワイパ１０１と、第１のワイパ１０１による除去方向とは異なる方向からの水分の侵入を防止する防止手段としての第２のワイパ１０２とを具備したことを特徴とする。【選択図】      図４
2008278970.tif 000002
【特許請求の範囲】
【請求項１】
第１のコネクタ部と、
前記第１のコネクタ部に接続される電気接点部を備えた第２のコネクタ部と、
前記第１のコネクタ部と前記第２のコネクタ部とが接続された際に、前記電気接点部上の水分を所定の方向に除去する除去手段と、
前記除去手段による除去方向とは異なる方向からの水分の侵入を防止する防止手段と、
を具備したことを特徴とする医療装置。
【請求項２】
前記除去手段は、前記第１のコネクタ部に設けられ、前記第２のコネクタ部の接続動作に伴って前記第２のコネクタ部の外表面を摺接する摺接部を備えたことを特徴とする請求項１に記載の医療装置。
【請求項３】
前記除去手段は、弾性部材であることを特徴とする請求項１または２に記載の医療装置。
【請求項４】
前記防止手段は、弾性部材であることを特徴とする請求項１に記載の医療装置。
【請求項５】
前記除去手段及び前記防止手段は、前記電気接点部が設けられる前記第２のコネクタ部の外周面に摺接する内周面を有する環状であることを特徴とする請求項１に記載の医療装置。
【請求項６】
前記除去手段及び前記防止手段は、前記電気接点部が設けられる前記第２のコネクタ部の内周面に摺接する外周面を有する環状であることを特徴とする請求項１に記載の医療装置。
【請求項７】
前記除去手段は、重力方向に水分を除去するとともに、前記防止手段は、重力方向に垂れる水分を防止するよう、重力方向に沿って前記防止手段、前記除去手段の順に配置したことを特徴とする請求項１に記載の医療装置。
【請求項８】
前記第１のコネクタ部は、前記電気接点部に接続される信号処理手段を有する信号処理装置であって、前記第２のコネクタ部は、前記信号処理装置に接続される内視鏡に設けられたことを特徴とする請求項１に記載の医療装置。
【請求項９】
前記第１のコネクタ部は、内視鏡の操作部を構成するパワーユニットに設けられ、前記第２のコネクタ部は、前記パワーユニットに着脱可能に接続される挿入部側本体に設けられたことを特徴とする請求項１に記載の医療装置。
【請求項１０】
前記パワーユニットには、前記第２のコネクタ部に対して前記第２のコネクタ部が接続されたとき前記電気接点部に接触する端子部を有し、この端子部を挟んで前記除去手段と前記防止手段とが離間して配置されていることを特徴とする請求項９に記載の医療装置。
【発明の詳細な説明】
【技術分野】
【０００１】
本発明は、例えば内視鏡の操作部基端側に位置する内視鏡本体と、この内視鏡本体が接続されるパワーユニットとならなる医療装置に関する。
【背景技術】
【０００２】
医療器具としての内視鏡は、体腔内に挿入する挿入部の基端部に本体部が設けられ、本体部には光源装置等に接続されるユニバーサルコードが接続されている。挿入部には、照明光学系、観察光学系と接続される信号線、湾曲操作ワイヤ、送気・送水あるいは吸引管路等の内蔵物が挿通されている。さらに本体部には、前記照明光学系、信号線及び各種管路の接続部が設けられているとともに、湾曲部を湾曲操作する湾曲操作部、送気・送水及び吸引等の各種操作ボタンが設けられている。
【０００３】
また、操作部を、挿入部側本体と、この挿入部側本体が着脱自在に接続されるパワーユニットとから構成したものも知られている。前記パワーユニットには、電動モータによって駆動される湾曲駆動機構の駆動側カップリングを備え、挿入部側本体には電動アングル機構の従動側カップリングを備え、挿入部側本体をパワーユニットに接続すると、湾曲駆動機構の駆動側カップリングと電動アングル機構の従動側カップリングとが連結されるようになっている。
【０００４】
さらに、パワーユニットには、ユニバーサルコードを介してビデオプロセッサ、コントロールボックス等の周辺機器と電気的に接続される信号処理回路が内蔵され、この信号処理回路には電気接点部が設けられている。挿入部側本体には内視鏡の先端構成部に設けられた固体撮像素子等と電気的に接続される電気接点部が設けられ、挿入部側本体をパワーユニットに接続すると、電気接点部同士が接触して電気的に接続され、電気信号の授受が行えるようになっている。
【０００５】
一方、医療用の内視鏡は、使用後に内視鏡に内蔵された管路を含めて外表面を洗滌及び消毒するが、前述のように電気接点部が露出している内視鏡においては、再使用の際に洗浄によって付着した水分を完全に除去し、電気接点部が水分で短絡されるのを防止する必要がある。
【０００６】
そこで、従来においては、内視鏡装置のコネクタを周辺機器に接続する際に、コネクタに付着した水分を除去する手段として、電気接点を有するプラグ側にスポンジを設け、プラグが端子を有するソケットに押し込まれて接続される際に、水分がプラグに入り込んでもスポンジによって水分が吸収されるようにしたものが知られている（例えば、特許文献１参照。）。
【０００７】
同様に、ソケット側に電極面とシリコンゴムからなる拭き取り部材を設け、プラグ側に電極面を設け、プラグがソケットに接続される際に、電極面に付着された水分が拭き取り部材によって拭き取られるようにしたものも知られている（例えば、特許文献２参照。）。
【特許文献１】特開平６−１３３９１９号公報
【特許文献２】特開２００１−２２４５５６号公報
【発明の開示】
【発明が解決しようとする課題】
【０００８】
しかしながら、特許文献１、２に開示された医療装置における水分除去手段は、プラグとソケットの接続時に、電極面に付着している水分を吸水性部材で吸水あるいは拭き取る構成である。従って、吸水部材が水分を十分に吸収してしまうと、給水能力がなくなり、また、拭き取る構成のものは、水分が重力によって流れて重力方向に電極面が位置していると、電極面が再び濡れる虞もある。
【０００９】
本発明は、前記事情に着目してなされたもので、その目的とするところは、電気接点部に水分が付着していても、コネクタ部を接続する過程で水分を除去し、除去水分や除去できずにコネクタ部に残留した水分が電気接点部に付着する虞はなく、信頼性の向上を図ることができる医療装置を提供することにある。
【課題を解決するための手段】
【００１０】
本発明は、前記目的を達成するために、請求項１は、第１のコネクタ部と、前記第１のコネクタ部に接続される電気接点部を備えた第２のコネクタ部と、前記第１のコネクタ部と前記第２のコネクタ部とが接続された際に、前記電気接点部上の水分を所定の方向に除去する除去手段と、前記除去手段による除去方向とは異なる方向からの水分の侵入を防止する防止手段とを具備したことを特徴とする医療装置にある。
【００１１】
前記除去手段は、好ましくは、前記第１のコネクタ部に設けられ、前記第２のコネクタ部の接続動作に伴って前記第２のコネクタ部の外表面を摺接する摺接部を備えたことを特徴とする。
【００１２】
前記除去手段は、好ましくは、弾性部材であることを特徴とする。前記防止手段は、好ましくは、弾性部材であることを特徴とする。
【００１３】
前記除去手段及び前記防止手段は、好ましくは、前記電気接点部が設けられる前記第２のコネクタ部の外周面に摺接する内周面を有する環状であることを特徴とする。
【００１４】
前記除去手段及び前記防止手段は、好ましくは、前記電気接点部が設けられる前記第２のコネクタ部の内周面に摺接する外周面を有する環状であることを特徴とする。
【００１５】
前記除去手段は、好ましくは、重力方向に水分を除去するとともに、前記防止手段は、重力方向に垂れる水分を防止するよう、重力方向に沿って前記防止手段、前記除去手段の順に配置したことを特徴とする。
【００１６】
前記第１のコネクタ部は、好ましくは、前記電気接点部に接続される信号処理手段を有する信号処理装置であって、前記第２のコネクタ部は、前記信号処理装置に接続される内視鏡に設けられたことを特徴とする。
【００１７】
前記第１のコネクタ部は、好ましくは、内視鏡の操作部を構成するパワーユニットに設けられ、前記第２のコネクタ部は、前記パワーユニットに着脱可能に接続される挿入部側本体に設けられたことを特徴とする。
【００１８】
前記パワーユニットには、好ましくは、前記第２のコネクタ部に対して前記第２のコネクタ部が接続されたとき前記電気接点部に接触する端子部を有し、この端子部を挟んで前記除去手段と前記防止手段とが離間して配置されていることを特徴とする。
【発明の効果】
【００１９】
本発明によれば、水分を除去する除去手段と、この除去手段による除去方向とは異なる方向からの水分の侵入を防止する防止手段を設けることにより、電気接点部に水分が付着していても、コネクタ部を接続する過程で水分を除去し、その水分が再び電気接点部に付着する虞はなく、信頼性の向上を図ることができるという効果がある。
【発明を実施するための最良の形態】
【００２０】
以下、本発明の各実施の形態を図面に基づいて説明する。
【００２１】
図１〜図８は第１の実施形態を示す。図１は医療装置１０の全体構成を示し、医療装置１０を手術用ベッド１１の脇に設置した状態の斜視図である。キャスター１２を備えた支持台１３には光源装置１４、ビデオプロセッサ１５及びコントロールボックス１６等が搭載されている。支持台１３には支持機構１７を構成する支柱１８が垂直方向に立設され、この支柱１８の上端部には水平面内で回動自在なアーム１９を介して医療器具保持部としての内視鏡保持部２０が設けられている。
【００２２】
内視鏡保持部２０には医療器具としての内視鏡２１が保持されている。内視鏡２１は、本体部２２と、本体部２２に接続された挿入部２３及びユニバーサルコード２４から構成されている。挿入部２３には湾曲部２５及び先端構成部２６が設けられている。ユニバーサルコード２４にはコネクタ２７が設けられ、このコネクタ２７は光源装置１４に接続されている。
【００２３】
内視鏡２１の先端構成部２６には体腔内を照明する照明光学系、体腔内を観察する観察光学系を備えている。照明光学系は光源装置１４からの照明光をユニバーサルコード２４、挿入部２３を介して先端構成部２６の前面から出射する。観察光学系は、先端構成部２６に設けられた固体撮像素子等の撮像ユニットからの映像信号をビデオプロセッサ１５が受けて所定の信号処理を施し、このビデオプロセッサ１５から出力される映像信号はコントロールパネル２８に伝送される。コントロールパネル２８には所定の内視鏡画像がその表示部２９に表示する他、この表示部２９の表示面上にタッチパネル式などの操作部が設けられている。このため、術者は、このコントロールパネル２８の操作部から各種の操作指示を入力することができる。
【００２４】
さらに、コントロールボックス１６は、内視鏡２１を観察や処置に使用する際の送気や送水を行うための電磁弁ユニット（図示しない）を動作させるためのものである。この電磁弁ユニットは、挿入部２３の内部に設けられる送気送水管路や吸引管路等を介して送気送水および吸引動作の制御を行う。コントロールボックス１６のシステムコントローラは、光源装置１４およびビデオプロセッサ１５に電気的に接続されている。
【００２５】
なお、図１に示す、コントロールボックス１６の電磁弁ユニットには、流体制御カセット３０が着脱可能に装着されている。この流体制御カセット３０は、送気、送水、前方送水に関する弁体を有する流量調整機構を備えている。電磁弁ユニットは、流体制御カセット３０の流量調整機構を駆動する。
【００２６】
また、コントロールボックス１６には、内視鏡２１に対して送気、送水及び前方送水を行う３本のチューブ３３ａ，３３ｂ，３３ｃの一端が接続され、他端は内視鏡２１の本体部２２に接続されている。これらチューブ３３ａ，３３ｂ，３３ｃは中空の柔軟な樹脂材で形成されている。前記ユニバーサルコード２４にはライトガイドファイバーや信号線が内挿されている。
【００２７】
支持機構１７のアーム１９には複数本の支持ロッド３４ａ，３４ｂが立設され、これら支持ロッド３４ａ，３４ｂにはチューブ３３ａ，３３ｂ，３３ｃ及びユニバーサルコード２４の中途部を支持するリテーナ３５ａ，３５ｂが設けられている。
【００２８】
図２は内視鏡２１の本体部２２及び挿入部２３の内部構造を概略的に示す構成図である。コントロールボックス１６はチューブ３３ａ，３３ｂ，３３ｃを介して本体部２２に接続され、本体部２２から挿入部２３の先端構成部２６に連通されている。このため、コントロールボックス１６の電磁弁ユニットが駆動されて流体制御カセット３０から送気送水動作が行なわれると、チューブ３３ａ，３３ｂを通して先端構成部２６から送気送水を行うことができる。
【００２９】
さらに、内視鏡２１の本体部２２には、湾曲操作指示に応じて制御される電動モータを備えた湾曲駆動機構３６が内蔵され、湾曲部２５を上下左右に湾曲動作するように構成されている。内視鏡２１には光源装置１４から供給される照明光束を光伝送する照明光学系を構成する後述するライトガイド４６が挿通され、先端構成部２６から出射される。先端構成部２６には固体撮像素子からなる撮像ユニット３７が設けられている。ビデオプロセッサ１５には撮像ユニット３７からの映像信号を伝達する信号ケーブル３８、映像基板３９、フレキシブル基板４０及び信号ケーブル４１が接続されている。この信号ケーブル４１は本体部２２及びユニバーサルコード２４の内部を挿通してビデオプロセッサ１５の所定の端子に接続されている。
【００３０】
図３は内視鏡２１の本体部２２を示す斜視図である。挿入部２３の基端部に設けられた本体部２２は、第２のコネクタ部としての挿入部側本体５０と、この挿入部側本体５０に対して着脱可能で、挿入部側本体５０に動力、流体、光、電力、信号を供給するための供給源側本体部としての第１のコネクタ部、例えばパワーユニット５１とから構成されている。まず、挿入部側本体５０及びパワーユニット５１の外部構成について説明すると、挿入部側本体５０の先端部における側部には突出部５２が設けられ、この突出部５２には挿入部側本体５０の軸方向に対して外側に傾斜する鉗子挿入口４５が設けられている。
【００３１】
挿入部側本体５０の中間部にはその軸方向に対して直角な取付け面５０ａが設けられ、取付け面５０ａには流体接続コネクタを構成する送気口金５３ａ、送水口金５３ｂ、前方送水口金５３ｃ及び漏水検知口金５４がその開口を基端側に向けて配置されている。すなわち、送気口金５３ａ、送水口金５３ｂ、前方送水口金５３ｃは、挿入部側本体５０の基端側、つまり前記鉗子挿入口４５と離間した位置に配置されている。鉗子挿入口４５は、鉗子、カテーテル等の処置具が挿脱されるため、不潔域となる場合があるが、送気口金５３ａ、送水口金５３ｂ、前方送水口金５３ｃを鉗子挿入口４５から離間させることにより感染を防止できる。
【００３２】
また、内視鏡２１を使用後に洗浄する内視鏡自動洗浄装置では、漏水検知、各管路への送気・送水及び送気口金５３ａ、送水口金５３ｂ、前方送水口金５３ｃを介して各管路へのブラシの挿通の３つの機能を自動で行うことが求められている。そこで、送気口金５３ａ、送水口金５３ｂ、前方送水口金５３ｃ及び漏水検知口金５４を横一列に配置し、しかも漏水検知口金５４の開口を送気口金５３ａ、送水口金５３ｂ、前方送水口金５３ｃと平行にすることにより、内視鏡自動洗浄装置側としては、１方向の制御のみで上記３種類の機能を果たすことができる。しかも漏水検知口金５４を最も外側に配置したのは、漏水検知を手動で行う際に他の口金が邪魔にならないようにすることを考慮したものである。
【００３３】
さらに、挿入部側本体５０の基端部には角筒部５５及びこの角筒部５５の後端に円筒部５６が一体に設けられている。角筒部５５の外側部には前記湾曲駆動機構３６と連動する従動側部材としての従動側カップリング５７が設けられている。円筒部５６の後端面には前記ライトガイド４６と接続するライトガイドコネクタ５８が設けられている。さらに、円筒部５６の後端部は電気絶縁材料によって形成され、その外周面には周方向に電気信号用コネクタとしての多数の電気接点部５９が配置されている。
【００３４】
図４〜図７は挿入部側本体５０及びパワーユニット５１の内部構造を示し、図４は挿入部側本体５０とパワーユニット５１との非接続状態の縦断側面図、図５は同接続状態の縦断側面図、図６は挿入部側本体５０とパワーユニット５１との非接続状態を示し、パワーユニット５１のみを断面した側面図、図７は同接続状態を示し、パワーユニット５１のみを断面した側面図である。
【００３５】
まず、挿入部側本体５０側について説明すると、挿入部側本体５０の内部には角筒部５５の本体部を構成するアルミニウム等の剛性を有する金属部材からなるシャーシ６１が設けられている。シャーシ６１の後端部は開口され、この開口を囲む端縁部には嵌合段部６２が形成されている。
【００３６】
このシャーシ６１の後端部には円筒部５６の一部を構成する円筒状の嵌合部材６３が設けられている。嵌合部材６３はアルミニウム等の剛性を有する金属部材からなり、基端部にはフランジ部６４を有する閉塞部６５が設けられ、先端部には開口した小径部６６が設けられている。嵌合部材６３のフランジ部６４にはシャーシ６１の嵌合段部６２に嵌合する環状溝６７が設けられ、この嵌合段部６２と環状溝６７とはＯリング６８によって水密にシールされている。
【００３７】
嵌合部材６３には円筒部５６の一部を構成する円筒状の挿入側コネクタ本体６９が設けられている。挿入側コネクタ本体６９は電気絶縁材料によって形成され、基端部の開口はＯリング７０を介して小径部６６に水密に嵌合されている。挿入側コネクタ本体６９の先端部は肉厚の隔壁によって閉塞され、この隔壁には挿入側コネクタ本体６９の軸心と同心的で小径な突出筒部７１が一体に設けられている。挿入側コネクタ本体６９の外周面には前記電気接点部５９が配置されており、各電気接点部５９のリード部５９ａは挿入側コネクタ本体６９の隔壁を貫通して挿入側コネクタ本体６９の内部まで延長している。
【００３８】
挿入側コネクタ本体６９の内部には弾性部材のパッキン７２がパッキンつぶし部材７３によって圧接状態に固定され、各電気接点部５９のリード部５９ａはパッキン７２を貫通して水密に保たれている。さらに、パッキンつぶし部材７３にはリード部５９ａと接続されたフレキシブルコネクタ７４が固定され、このフレキシブルコネクタ７４にはコネクタ７５が接続されている。フレキシブルコネクタ７４は、図８（ａ）に示すように、環状基部７４ａのリード部５９ａと接続される接続孔７４ｂが設けられている。さらに、環状基部７４ａの外周部には放射状に突出する舌片状の複数の端子片７４ｃが一体に設けられている。そして、これら端子片７４ｃを図８（ｂ）に示すように、同方向に折曲して起立させたものであり、各端子片７４ｃ上にコネクタ７５が設置されている。
【００３９】
また、図４〜図７に示すように、前記嵌合部材６３の閉塞部６５における中心部には円筒部５６の後端部方向に突出する筒部７６が一体に設けられ、この内周面にはねじ部７６ａが形成されている。ねじ部７６ａにはパイプからなるライトガイド固定部材７７の基端部がねじ込み固定され、ライトガイド固定部材７７の先端部は挿入側コネクタ本体６９の突出筒部７１の内部まで突出している。ライトガイド固定部材７７の内部には前記ライトガイド４６が挿入されている。
【００４０】
ライトガイド４６の先端部にはパイプ状のライトガイド嵌合部材７８が嵌合され、このライトガイド嵌合部材７８の基端部はライトガイド固定部材７７の内周面に嵌合されている。ライトガイド嵌合部材７８の先端部にはレンズ枠７９が固定され、レンズ枠７９には光学レンズ８０が装着されている。レンズ枠７９の外周面には電気コネクタ固定部材８１が螺合されているとともに、両者間はＯリング８２で水密にシールされている。電気コネクタ固定部材８１の外周面にもＯリング８３が装着され、このＯリング８３によって挿入側コネクタ本体６９の突出筒部７１との間が水密にシールされている。さらに、電気コネクタ固定部材８１の先端部にはフランジ部８１ａが設けられ、このフランジ部８１ａと突出筒部７１との間には金属からなる電気コネクタ保護部材８４が介在されている。
【００４１】
従って、電気接点部５９が設けられた挿入側コネクタ本体６９とレンズ枠７９及び電気コネクタ固定部材８１はＯリング８２，８３によって水密にシールされ、挿入側コネクタ本体６９は嵌合部材６３に対してＯリング７０によって水密にシールされている。
【００４２】
次に、前記パワーユニット５１側について説明すると、パワーユニット５１の本体部を構成するアルミニウム等の剛性を有する金属部材からなるシャーシ８５が設けられている。シャーシ８５は挿入部側本体５０の嵌合部材６３が挿入される円筒状の空洞部８６が設けられている。空洞部８６の内周面には嵌合受け部８７が設けられ、この嵌合受け部８７には金属弾性部材からなる複数のフィンガ８８が周方向に配設されている。
【００４３】
シャーシ８５の先端部にはフランジ部８９が設けられ、このフランジ部８９には周壁部９０とこの周壁部９０に対して固定された抑え部材９１によって環状溝９２が形成されている。シャーシ８５の先端側には円筒状のケーシング９３が設けられている。ケーシング９３の基端部にはフランジ部９４が設けられ、このフランジ部９４はシャーシ８５の環状溝９２に嵌合されている。環状溝９２の内径はケーシング９３のフランジ部９４の外径より大きく形成され、環状溝９２に対してケーシング９３が径方向に移動自在であり、フランジ部９４と抑え部材９１との間にはＯリング９５が介在され、水密にシールされている。
【００４４】
ケーシング９３の内部には円筒状の端子固定部材９６が設けられている。端子固定部材９６の内周面には電気接点部５９に対応して複数の電気端子部９７が配置され、これら電気端子部９７は端子固定部材９６の内周面から内側に突出している。端子固定部材９６の端面には弾性部材のパッキン９８がパッキンつぶし部材９９によって圧接状態に固定され、各電気端子部９７のリード部９７ａはパッキン９８を貫通して水密に保たれている。さらに、パッキンつぶし部材９９はケーシング９３に対してねじ込み固定された端子固定リング１００によって抑え固定されている。
【００４５】
端子固定部材９６の基端側には電気端子部９７と隣接して水分を除去する除去手段としての第１のワイパ１０１と、端子固定部材９６の先端側には電気端子部９７と隣接して第１のワイパ１０１による除去方向とは異なる方向からの水分の侵入を防止する防止手段としての第２のワイパ１０２が設けられている。
【００４６】
第１のワイパ１０１は、ケーシング９３の内周面に沿って円環状のゴム部材によって形成され、断面形状で示すように基部にくびれ部１０１ａが形成され、先端部に円弧状の摺接部１０１ｂが形成されている。そして、第１のワイパ１０１は摺接部１０１ｂの内径が前記挿入側コネクタ本体６９の外径より僅かに小径に形成され、パワーユニット５１の端子固定部材９６に対する挿入側コネクタ本体６９の挿脱に伴ってくびれ部１０１ａを支点として左右方向に折曲した状態で、摺接部１０１ｂが挿入側コネクタ本体６９の外周面と摺接するように形成されている。
【００４７】
第２のワイパ１０２も、ケーシング９３の内周面に沿って円環状のゴム部材によって形成され、断面形状で示すように基部１０２ａがワイパ固定リング１０３によって端子固定部材９６に固定され、先端部に内側に突出する摺接部１０２ｂが形成されている。そして、第２のワイパ１０２は摺接部１０２ｂの内径が前記挿入側コネクタ本体６９の外径より僅かに小径に形成され、パワーユニット５１の端子固定部材９６に対する挿入側コネクタ本体６９の挿脱に伴って摺接部１０２ｂが挿入側コネクタ本体６９の外周面と摺接するように形成されている。
【００４８】
このように、端子固定部材９６には電気端子部９７を挟んで第１のワイパ１０１と第２のワイパ１０２とが設けられ、パワーユニット５１の端子固定部材９６に対する挿入側コネクタ本体６９の挿脱に伴って端子固定部材９６の表面に付着している水分を第１のワイパ１０１によって除去できるようになっている。さらに、端子固定部材９６の先端側に付着している水分が重力によって電気接点部５９の方向に流れるのを第２のワイパ１０２によって阻止するように構成されている。
【００４９】
また、端子固定部材９６の先端部には円筒状のライトガイド固定基板１０４が固定されている。ライトガイド固定基板１０４の先端部にはフランジ部１０５が設けられ、このフランジ部１０５には周壁部１０６とこの周壁部１０６に対して固定された抑え部材１０７によって環状溝１０８が形成されている。ライトガイド固定基板１０４の先端側には円筒状のライトガイド固定部材１０９が設けられている。ライトガイド固定部材１０９の基端部にはフランジ部１１０が設けられ、このフランジ部１１０はライトガイド固定基板１０４の環状溝１０８に嵌合されている。環状溝１０８の内径はライトガイド固定部材１０９のフランジ部１１０の外径より大きく形成され、環状溝１０８に対してライトガイド固定部材１０９が径方向に移動自在であり、フランジ部１１０と抑え部材１０７との間にはＯリング１１１が介在され、水密にシールされている。
【００５０】
ライトガイド固定部材１０９の内部にはライトガイド嵌合部材１１２が収納され、このライトガイド嵌合部材１１２の外周面とライトガイド固定部材１０９の内周面との間にはＯリング１１３によってシールされている。ライトガイド固定部材１０９に対してライトガイド嵌合部材１１２は軸方向に移動自在であり、スプリング１１２ａによってライトガイド嵌合部材１１２は基端側に弾性的に付勢されている。このライトガイド嵌合部材１１２のライトガイド嵌合部材１１２の中心部には軸方向に貫通孔１１４が設けられ、この貫通孔１１４の内部にはライトガイド１１５が装着されている。ライトガイド１１５の端面には平板ガラスからなる光学レンズ１１６が密着状態で設けられている。光学レンズ１１６はライトガイド嵌合部材１１２に設けられた嵌合筒１１７に固定されたレンズ枠１１８に装着されている。
【００５１】
次に、パワーユニット５１の空洞部８６に対して挿入部側本体５０の挿入側コネクタ本体６９を挿入し、挿入部側本体５０とパワーユニット５１とを電気的及び光学的に接続する作用について説明する。
【００５２】
挿入部側本体５０を把持して挿入側コネクタ本体６９を空洞部８６に挿入すると、挿入側コネクタ本体６９の外周面はフィンガ８８に接触するため、挿入側コネクタ本体６９は空洞部８６の中心部方向に弾性的に位置決めされる。挿入側コネクタ本体６９が空洞部８６に挿入されると、まず挿入側コネクタ本体６９の外周面における先端部が第１のワイパ１０１の摺接部１０１ｂに接触する。
【００５３】
挿入側コネクタ本体６９を空洞部８６に深く挿入すると、挿入側コネクタ本体６９の外周面と第１のワイパ１０１の摺接部１０１ｂとが摺動し、第１のワイパ１０１のくびれ部１０１ａを支点として空洞部８６の奥部方向に折曲した状態になり、その摺接部１０１ｂが挿入側コネクタ本体６９の外周面に摺接する。従って、挿入側コネクタ本体６９の外周面に洗滌時に付着した水分が残っていても、水分は第１のワイパ１０１によって拭き取られる。挿入側コネクタ本体６９の外周面には複数の電気接点部５９が設けられ、この電気接点部５９の表面にも水分が付着していることがあるが、その水分も第１のワイパ１０１のよって拭き取られる。
【００５４】
挿入側コネクタ本体６９を空洞部８６にさらに深く挿入すると、電気接点部５９と電気端子部９７とが対向し、両者は接触して挿入部側本体５０とパワーユニット５１とが電気的に導通状態となる。挿入側コネクタ本体６９を空洞部８６の最も奥部に挿入すると、挿入側コネクタ本体６９の先端部における外周面が第２のワイパ１０２の摺接部１０２ｂに摺接し、摺接部１０２ｂは折曲されて挿入側コネクタ本体６９の先端部における外周面に密着する。すなわち、挿入側コネクタ本体６９の先端側の外周面と突出筒部７１との間を第２のワイパ１０２が遮断した状態となる。従って、挿入側コネクタ本体６９の先端側と突出筒部７１との間の水分が付着していても、第２のワイパ１０２によって水分が電気接点部５９の方向に流れることはない。つまり、内視鏡２０の使用状態においては、挿入部側本体５０が下側になる縦方向になって挿入側コネクタ本体６９の先端側と突出筒部７１との間の水分が重力によって挿入部側本体５０の電気接点部５９の方向に流れることがあるが、第２のワイパ１０２を設けているため、電気接点部５９の方向に流れようとする水分を遮断できる。
【００５５】
このようにして挿入側コネクタ本体６９が空洞部８６の最も奥部に挿入されると、挿入側コネクタ本体６９のレンズ枠７９がライトガイド嵌合部材１１２の嵌合筒１１７に嵌合し、光学レンズ８０と光学レンズ１１６とが対向してパワーユニット５１と挿入部側本体５０とが光学的にも接続された状態となる。
【００５６】
また、パワーユニット５１側のシャーシ８５の環状溝９２に対してケーシング９３のフランジ部９４が径方向に移動自在であり、Ｏリング９５によってシャーシ８５に対してケーシング９３のフランジ部９４が弾性的に押圧されている。従って、ケーシング９３が揺動自在に支持され、端子固定部材９６は三次元的に揺動自在である。さらに、ライトガイド固定基板１０４の環状溝１０８にはライトガイド固定部材１０９のフランジ部１１０が径方向に移動自在であり、Ｏリング１１１によってライトガイド固定基板１０４に対してライトガイド固定部材１０９が弾性的に押圧されてライトガイド固定部材１０９は三次元的に揺動自在である。
【００５７】
従って、挿入側コネクタ本体６９を空洞部８６に挿入する際に、挿入側コネクタ本体６９の挿入先端側が径方向に揺動しても、挿入側コネクタ本体６９の揺動に伴って端子固定部材９６及びライトガイド固定部材１０９が三次元的に揺動して追従することになる。このため、挿入部側本体５０を把持して挿入側コネクタ本体６９を空洞部８６に挿入する際に挿入側コネクタ本体６９に挿入先端側が径方向に位置ずれしても引っ掛かり感がなく円滑に挿入できる。そして、電気接点部５９を電気端子部９７に接触させて電気的に導通させ、レンズ枠７９をライトガイド嵌合部材１１２の嵌合筒１１７に嵌合して確実に光学的に接続することができる。
【００５８】
さらに、ライトガイド固定部材１０９に対してライトガイド嵌合部材１１２が嵌合され、ライトガイド嵌合部材１１２はスプリング１１２ａによってライトガイド固定基板１０４のフランジ部１０５に弾性的に押圧されている。従って、挿入側コネクタ本体６９のレンズ枠７９をライトガイド嵌合部材１１２の嵌合筒１１７に嵌合する際の挿入方向の衝撃力をスプリング１１２ａによって吸収することができると同時に光学レンズ８０と１１６とを密着することができる。
【００５９】
図９は第２の実施形態を示し、第１の実施形態と同一構成部分は同一番号を付して説明を省略する。図９は挿入部側本体１２０及びパワーユニット１２１の内部構造を示し、挿入部側本体１２０とパワーユニット１２１との非接続状態の縦断側面図である。
【００６０】
まず、挿入部側本体１２０側について説明すると、挿入部側本体１２０の内部にはアルミニウム等の剛性を有する金属部材からなるシャーシ１２２が設けられている。シャーシ１２２の後端部には電気コネクタ部材１２３と光学コネクタ部材１２４が隣り合って平行状態に設けられている。電気コネクタ部材１２３には第１の実施形態と同様に挿入側コネクタ本体６９が設けられ、この挿入側コネクタ本体６９には電気接点部５９が配置されている。
【００６１】
さらに、シャーシ１２２には後端部方向に突出する筒部１２５が設けられ、この筒部１２５には電気コネクタ固定支柱１２６がねじ込み固定されている。電気コネクタ固定支柱１２６は挿入側コネクタ本体６９の中心部を通って挿入側コネクタ本体６９の先端側に突出しており、先端部にはフランジ部１２７が設けられている。このフランジ部１２７の外周面にはねじ部１２８が形成され、このねじ部１２８にはキャップ１２９がねじ込み固定されている。キャップ１２９の外周面はＯリング１３０を介して挿入側コネクタ本体６９の嵌合孔１３１と密着されており、電気コネクタ固定支柱１２６によって挿入側コネクタ本体６９を支持すると同時に水密にシールされている。
【００６２】
前記光学コネクタ部材１２４は後方に向かって突出する円筒部１３２を有している。円筒部１３２の内周面の基端部及び先端部にはねじ部１３３，１３４が設けられている。基端部のねじ部１３３にはシャーシ１２２の内側からライトガイド固定枠１３５がねじ込み固定されており、光学コネクタ部材１２４を補強している。ライトガイド固定枠１３５には第１の実施形態と同様に、ライトガイド４６に嵌合するライトガイド嵌合部材７８が挿入され、ライトガイド嵌合部材７８には光学レンズ８０を装着したレンズ枠７９が嵌合されている。レンズ枠７９は光学コネクタ部材１２４のねじ部１３４にねじ込み固定され、さらにＯリング８３を介して光学コネクタ部材１２４に水密にシールされている。
【００６３】
次に、パワーユニット１２１側について説明すると、パワーユニット１２１の本体部を構成するシャーシ８５には電気コネクタ部材１２３及び光学コネクタ部材１２４と対応して電気コネクタ空洞部１３６と光学コネクタ空洞部１３７が隣り合って平行状態に設けられている。電気コネクタ空洞部１３６にはシャーシ８５の先端側には円筒状のケーシング９３が設けられている。ケーシング９３の内部には端子固定部材１３８が設けられている。端子固定部材１３８は円筒部１３９と、この円筒部１３９の先端開口を閉塞する閉塞部１４０が設けられている。
【００６４】
円筒部１３９の内周面には第１の実施形態と同様に電気接点部５９に対応して複数の電気端子部９７が配置されている。円筒部１３９の基端側には電気端子部９７と隣接して水分を除去する除去手段としての第１のワイパ１０１が設けられ、円筒部１３９の先端側で、閉塞部１４０の内面には第１のワイパ１０１による除去方向とは異なる方向からの水分の侵入を防止する防止手段としての第２のワイパ１０２が設けられている。
【００６５】
光学コネクタ空洞部１３７にはシャーシ８５に対してライトガイド固定部材１０９が設けられている。シャーシ８５の前端部には凹陥部１４１が設けられ、この凹陥部１４１には周壁部１４２とこの周壁部１４２に対して固定された抑え部材１４３によって環状溝１４４が形成されている。シャーシ８５の先端側には第１の実施形態と同様に円筒状のライトガイド固定部材１０９が設けられている。ライトガイド固定部材１０９の基端部にはフランジ部１１０が設けられ、このフランジ部１１０は環状溝１４４に嵌合されている。環状溝１４４の内径はライトガイド固定部材１０９のフランジ部１１０の外径より大きく形成され、環状溝１４４に対してライトガイド固定部材１０９が径方向に移動自在であり、フランジ部１１０と抑え部材１４３との間にはＯリング１１１が介在されて水密にシールされている。
【００６６】
次に、パワーユニット１２１の電気コネクタ空洞部１３６と光学コネクタ空洞部１３７に対して挿入部側本体１２０の電気コネクタ部材１２３と光学コネクタ部材１２４を挿入し、挿入部側本体１２０とパワーユニット１２１とを電気的及び光学的に接続する作用について説明する。
【００６７】
挿入部側本体１２０を把持して電気コネクタ部材１２３及び光学コネクタ部材１２４をパワーユニット１２１の電気コネクタ空洞部１３６及び光学コネクタ空洞部１３７に位置決めして挿入する。電気コネクタ部材１２３の挿入側コネクタ本体６９の外周面における先端部が第１のワイパ１０１の摺接部１０１ｂに接触し、挿入側コネクタ本体６９を電気コネクタ空洞部１３６に深く挿入すると、挿入側コネクタ本体６９の外周面を第１のワイパ１０１の摺接部１０１ｂが摺動し、第１のワイパ１０１のくびれ部１０１ａを支点として電気コネクタ空洞部１３６の奥部方向に折曲した状態になり、その摺接部１０１ｂが挿入側コネクタ本体６９の外周面に摺接する。従って、第１の実施形態と同様に、挿入側コネクタ本体６９の外周面に洗滌時に付着した水分が残っていても、水分は第１のワイパ１０１によって拭き取られ、電気接点部５９の表面の水分も第１のワイパ１０１によって拭き取られる。
【００６８】
挿入側コネクタ本体６９を電気コネクタ空洞部１３６にさらに深く挿入すると、電気接点部５９と電気端子部９７とが対向し、両者は接触して挿入部側本体１２０とパワーユニット１２１とが電気的に導通状態となる。また、挿入側コネクタ本体６９の先端部における外周面が第２のワイパ１０２の摺接部１０２ｂに摺接し、摺接部１０２ｂは折曲されて挿入側コネクタ本体６９の先端部における外周面に密着する。従って、挿入側コネクタ本体６９の先端側に水分が付着していても、第２のワイパ１０２によって水分が電気接点部５９の方向に流れることはない。
【００６９】
このようにして挿入側コネクタ本体６９が電気コネクタ空洞部１３６に挿入されると、挿入側コネクタ本体６９のレンズ枠７９がライトガイド嵌合部材１１２の嵌合筒１１７に嵌合し、光学レンズ８０と光学レンズ１１６とが対向してパワーユニット１２１と挿入部側本体１２０とが光学的にも接続された状態となる。
【００７０】
また、パワーユニット１２１側のシャーシ８５の環状溝９２に対してケーシング９３のフランジ部９４が径方向に移動自在であり、Ｏリング９５によってシャーシ８５に対してケーシング９３のフランジ部９４が弾性的に押圧されている。従って、ケーシング９３が揺動自在に支持され、端子固定部材９６は三次元的に揺動自在である。さらに、シャーシ８５の環状溝１４４にはライトガイド固定部材１０９のフランジ部１１０が径方向に移動自在であり、Ｏリング１１１によってシャーシ８５に対してライトガイド固定部材１０９が弾性的に押圧されてライトガイド固定部材１０９は三次元的に揺動自在である。
【００７１】
従って、第１の実施形態と同様に、挿入側コネクタ本体６９を電気コネクタ空洞部１３６に挿入する際に、挿入側コネクタ本体６９の挿入先端側が径方向に揺動しても、挿入側コネクタ本体６９の揺動に伴って端子固定部材１３８が三次元的に揺動して追従することになる。また、光学コネクタ部材１２４の挿入先端側が径方向に揺動しても、光学コネクタ部材１２４の揺動に伴ってライトガイド固定部材１０９が三次元的に揺動して追従することになる。このため、挿入部側本体１２０を把持してパワーユニット１２１に接続する際に相互が径方向に位置ずれしても引っ掛かり感がなく円滑に挿入できる。そして、電気接点部５９を電気端子部９７に接触させて電気的に導通させ、レンズ枠７９をライトガイド嵌合部材１１２の嵌合筒１１７に嵌合して確実に光学的に接続することができる。
【００７２】
図１０及び図１１は第３の実施形態を示し、第１の実施形態と同一構成部分は同一番号を付して説明を省略する。図１０は挿入部側本体１４５及びパワーユニット１４６の非接続状態の縦断側面図、図１１は挿入部側本体１４５とパワーユニット１４６との接続状態の縦断側面図である。
【００７３】
挿入部側本体１４５のライトガイド固定部材７７の先端部にはばね抑え部材１４７が設けられている。ライトガイド４６にはレンズ枠１４８が嵌合固定され、このレンズ枠１４８には光学レンズ８０が装着されている。レンズ枠１４８の背面とばね抑え部材１４７との間にはスプリング１４９が圧縮状態で介在されている。さらに、レンズ枠１４８には電気コネクタ固定部材８１の内周面と隙間を介して嵌合されたフランジ部１４８ａが設けられ、このフランジ部１４８ａは電気コネクタ固定部材８１のフランジ部８１ａと対向している。そして、フランジ部１４８ａと８１ａとの間にはＯリング１５０が介在され、水密にシールされている。従って、レンズ枠１４８は電気コネクタ固定部材８１に対して径方向に移動自在であるとともに、スプリング１４９によって支持され、軸方向に移動自在である。
【００７４】
次に、パワーユニット１４６について説明すると、ケーシング９３の内部に設けられた端子固定部材９６の先端部には円筒状のライトガイド固定基板１０４が固定されている。ライトガイド固定基板１０４の先端部には閉塞部１５１が設けられ、この閉塞部１５１の中心部には軸方向に貫通孔１５２が穿設され、この貫通孔１５２にはライトガイド１１５が装着されている。ライトガイド１１５の端面には平板ガラスからなる光学レンズ１１６が密着状態で設けられている。光学レンズ１１６はライトガイド嵌合部材１１２に設けられた嵌合筒１１７に固定されたレンズ枠１１８に装着されている。
【００７５】
従って、ライトガイド１１５はライトガイド固定基板１０４に固定されているが、前記レンズ枠１４８はスプリング１４９によって弾性的に押圧されているため、挿入側コネクタ本体６９のレンズ枠７９をライトガイド嵌合部材１１２の嵌合筒１１７に嵌合する際の挿入方向の衝撃力をスプリング１４９によって吸収することができると同時に光学レンズ８０と１１６とを密着することができる。
【００７６】
図１２及び図１３は第４の実施形態を示し、第１の実施形態と同一構成部分は同一番号を付して説明を省略する。図１２は挿入部側本体１５３及びパワーユニット１５４の非接続状態の縦断側面図、図１３は挿入部側本体１５３とパワーユニット１５４との接続状態の縦断側面図である。
【００７７】
まず、挿入部側本体１５３側について説明すると、挿入部側本体１５３の嵌合部材６３には円筒状の挿入側コネクタ本体１５５が設けられている。挿入側コネクタ本体１５５は電気絶縁材料によって形成され、この内周面には電気接点部５９が配置されており、各電気接点部５９のリード部５９ａは挿入側コネクタ本体１５５の隔壁を貫通して挿入側コネクタ本体１５５の内部まで延長している。
【００７８】
挿入側コネクタ本体１５５の内部には弾性部材のパッキン１５７がパッキンつぶし部材１５８によって圧接状態に固定され、各電気接点部５９のリード部５９ａはパッキン１５７を貫通して水密に保たれている。さらに、挿入側コネクタ本体１５５の先端部には電気コネクタ保護部材１５９が設けられている。
【００７９】
挿入側コネクタ本体１５５の基端部の中心部には軸方向に貫通孔１６０が設けられ、この貫通孔１６０にはパイプ状のライトガイド嵌合部材１６１が対向して設けられている。このライトガイド嵌合部材１６１の先端部はライトガイド固定部材１６２が嵌合されている。貫通孔１６０にはライトガイド固定部材１６２に対して固定されたレンズ枠１６３が設けられ、レンズ枠１６３には光学レンズ１６４が装着されている。レンズ枠１６３の外周面にはＯリング１６５が装着され、貫通孔１６０との間が水密にシールされている。
【００８０】
次に、パワーユニット１５４側について説明すると、パワーユニット１５４の本体部を構成するアルミニウム等の剛性を有する金属部材からなるシャーシ１６６が設けられている。シャーシ１６６は挿入部側コネクタ本体１５５が挿入される円筒状の空洞部１６６ａが設けられている。空洞部１６６ａの内周面には嵌合受け部８７が設けられ、この嵌合受け部８７には金属弾性部材からなる複数のフィンガ８８が周方向に配設されている。
【００８１】
シャーシ１６６の先端部には円筒状のケーシング９３が設けられている。ケーシング９３の内側には端子固定部材１６７が固定リング１６７ａによって固定されている。端子固定部材１６７は外周壁部１６８と内周壁部１６９及び閉塞壁部１７０を有し、前記挿入部側コネクタ本体１５５が挿入される円環状の嵌合部１７１が設けられている。端子固定部材１６７の内周壁部１６９における外周面には電気接点部５９に対応して複数の電気端子部９７が配置されている。端子固定部材１６７の閉塞壁部１７０には弾性部材のパッキン１７２がパッキンつぶし部材１７３によって圧接状態に固定され、各電気端子部９７のリード部９７ａはパッキン１７２を貫通して水密に保たれている。さらに、パッキンつぶし部材１７３にはパッキン抑え部材１７４が設けられ、このパッキン抑え部材１７４は端子固定部材１６７に固定された電気コネクタ保護部材１７５に対してねじ込み固定されている。
【００８２】
端子固定部材１６７の内周壁部１６９における外周面には電気端子部９７と隣接して水分を除去する除去手段としての第１のワイパ１７６と、閉塞壁部１７０側には電気端子部９７と隣接して第１のワイパ１７６による除去方向とは異なる方向からの水分の侵入を防止する防止手段としての第２のワイパ１７７が設けられている。
【００８３】
第１及び第２のワイパ１７６，１７７は、内周壁部１６９の外周面に沿って円環状のゴム部材によって形成され、外径が前記挿入側コネクタ本体１５５の内径より僅かに大径に形成され、パワーユニット１５４の端子固定部材１６７に対する挿入側コネクタ本体１５５の挿脱に伴って挿入側コネクタ本体１５５の内周面と摺接するように形成されている。
【００８４】
このように、端子固定部材１６７には電気端子部９７を挟んで第１のワイパ１７６と第２のワイパ１７７とが設けられ、パワーユニット１５４の端子固定部材１６７に対する挿入側コネクタ本体１５５の挿脱に伴って端子固定部材１６７の表面に付着している水分を第１のワイパ１７６によって除去できるようになっている。さらに、端子固定部材１６７の先端側に付着している水分が重力によって電気接点部５９の方向に流れるのを第２のワイパ１７７によって阻止するように構成されている。
【００８５】
また、電気コネクタ保護部材１７５の内部には環状凹部１７８が設けられている。この環状凹部１７８にはライトガイド嵌合部材１７９のフランジ部１７９ａが嵌合されている。フランジ部１７９ａの外径は環状凹部１７８の内径より僅かに小径であり、外周面に隙間が形成されている。フランジ部１７９ａにはばね抑え部材１８０が接合され、ばね抑え部材１８０とパッキン抑え部材１７４との間にはスプリング１８１が圧縮状態に介在されている。ライトガイド嵌合部材１７９の中心部には軸方向に貫通孔１８２が設けられ、この貫通孔１８２の内部にはライトガイド１１５が装着されている。ライトガイド１１５の端面には平板ガラスからなる光学レンズ１１６が密着状態で設けられ、この光学レンズ１１６はレンズ枠１１８に装着されている。従って、ライトガイド嵌合部材１７９は電気コネクタ保護部材１７５に対して軸方向に移動自在である。
【００８６】
次に、パワーユニット１５４の嵌合部１７１に挿入部側本体１５３の挿入側コネクタ本体１５５を挿入し、挿入部側本体１５３とパワーユニット１５４とを電気的及び光学的に接続する作用について説明する。
【００８７】
挿入部側本体１５３を把持して挿入側コネクタ本体１５５を嵌合部１７１に挿入すると、挿入側コネクタ本体１５５の外周面はフィンガ８８に接触するため、挿入側コネクタ本体１５５は嵌合部１７１の中心部方向に弾性的に位置決めされる。挿入側コネクタ本体１５５が嵌合部１７１に挿入されると、まず挿入側コネクタ本体１５５の内周面における先端部が第１のワイパ１７６に接触する。
【００８８】
挿入側コネクタ本体１５５を嵌合部１７１に深く挿入すると、挿入側コネクタ本体１５５の内周面を第１のワイパ１７６が摺動し、挿入側コネクタ本体１５５の内周面に洗滌時に付着した水分が残っていても、水分は第１のワイパ１７６によって拭き取られる。挿入側コネクタ本体１５５の内周面には複数の電気接点部５９が設けられ、この電気接点部５９の表面にも水分が付着していることがあるが、その水分も第１のワイパ１７６によって拭き取られる。
【００８９】
挿入側コネクタ本体１５５をさらに深く挿入すると、電気接点部５９と電気端子部９７とが対向し、両者は接触して挿入部側本体１５３とパワーユニット１５４とが電気的に導通状態となる。挿入側コネクタ本体１５５を嵌合部１７１の最も奥部に挿入すると、挿入側コネクタ本体１５５の先端部における内周面が第２のワイパ１７７に摺接し、挿入側コネクタ本体１５５の先端部における内周面に密着する。すなわち、挿入側コネクタ本体１５５の先端側間を第２のワイパ１７７が遮断した状態となる。従って、挿入側コネクタ本体１５５の先端側に水分が付着していても、第２のワイパ１７７によって水分が電気接点部５９の方向に流れることはない。つまり、内視鏡２０の使用状態においては、挿入部側本体１５３が下側で縦方向になり、挿入側コネクタ本体１５５の先端側の水分が重力によって電気接点部５９の方向に流れることがあるが、第２のワイパ１７７を設けることによって電気接点部５９の方向に流れようとする水分を遮断できる。
【００９０】
このようにして挿入側コネクタ本体１５５が嵌合部１７１の最も奥部に挿入されると、挿入側コネクタ本体１５５の光学レンズ１６４と光学レンズ１１６とが対向してパワーユニット１５４と挿入部側本体１５３とが光学的にも接続された状態となる。
【００９１】
また、パワーユニット５１側のシャーシ１６６の環状溝９２に対してケーシング９３のフランジ部９４が径方向に移動自在であり、Ｏリング９５によってシャーシ８５に対してケーシング９３のフランジ部９４が弾性的に押圧されている。従って、ケーシング９３が揺動自在に支持され、端子固定部材９６は三次元的に揺動自在である。さらに、ライトガイド嵌合部材１７９のフランジ部１７９ａが電気コネクタ保護部材１７５に対して径方向に移動自在であり、スプリング１８１によって弾性的に押圧されて支持されているためライトガイド嵌合部材１７９は三次元的に揺動自在である。
【００９２】
従って、挿入側コネクタ本体１５５を嵌合部１７１に挿入する際に、挿入側コネクタ本体１５５に挿入先端側が径方向に揺動しても、挿入側コネクタ本体１５５の揺動に伴って端子固定部材１６７及びライトガイド嵌合部材１７９が三次元的に揺動して追従することになる。このため、挿入部側本体１５３を把持して挿入側コネクタ本体１５５を嵌合部１７１に挿入する際に挿入側コネクタ本体１５５に挿入先端側が径方向に位置ずれしても引っ掛かり感がなく円滑に挿入できる。
【００９３】
さらに、ライトガイド嵌合部材１７９はスプリング１８１によって電気コネクタ保護部材１７５のフランジ部１７５ａに弾性的に押圧されている。従って、挿入側コネクタ本体１５５を嵌合部１７１に嵌合する際の挿入方向の衝撃力をスプリング１８１によって吸収することができると同時に光学レンズ１６４と１１６とを密着することができる。
【００９４】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図面の簡単な説明】
【００９５】
【図１】本発明の第１の実施形態に係る医療装置を示す概略的な斜視図。
【図２】同実施形態に係る医療装置を示す概略的なブロック図。
【図３】同実施形態に係る内視鏡の挿入部側本体とパワーユニットの斜視図。
【図４】同実施形態に係る医療装置の挿入部側本体とパワーユニットとの非接続状態の縦断側面図。
【図５】同接続状態の縦断側面図。
【図６】同実施形態に係る医療装置の挿入部側本体とパワーユニットとの非接続状態を示し、パワーユニットのみを断面した側面図。
【図７】同接続状態を示し、パワーユニットのみを断面した側面図。
【図８】同実施形態に係る医療装置のフレキシブルコネクタを示し、（ａ）（ｂ）は斜視図。
【図９】本発明の第２の実施形態に係る医療装置の挿入部側本体とパワーユニットとの非接続状態の縦断側面図。
【図１０】本発明の第３の実施形態に係る医療装置の挿入部側本体とパワーユニットとの非接続状態の縦断側面図。
【図１１】同接続状態の縦断側面図。
【図１２】本発明の第４の実施形態に係る医療装置の挿入部側本体とパワーユニットとの非接続状態の縦断側面図。
【図１３】同接続状態の縦断側面図。
【符号の説明】
【００９６】
５０…挿入部側本体（第２のコネクタ部）、５１…パワーユニット（第１のコネクタ部）、５９…電気接点部、１０１…第１のワイパ（除去手段）、１０２…第２のワイパ（防止手段）
【図１】
2008278970.tif 000003
【図２】
2008278970.tif 000004
【図３】
2008278970.tif 000005
【図４】
2008278970.tif 000006
【図５】
2008278970.tif 000007
【図６】
2008278970.tif 000008
【図７】
2008278970.tif 000009
【図８】
2008278970.tif 000010
【図９】
2008278970.tif 000011
【図１０】
2008278970.tif 000012
【図１１】
2008278970.tif 000013
【図１２】
2008278970.tif 000014
【図１３】
2008278970.tif 000015